(57)【要約】  画像からそれぞれ互いに異なる方向に対応する指向的特徴を抽出し、それら指向的特徴により主要な線の依存度を示す主要線特徴を生成する主要線特徴生成部９と、主要線特徴と登録主要線特徴との第２の類似度を求める主要線特徴照合処理部１１と、第１の類似度を用いて、本人であるか否かの判定を行う判定部６とを備えて生体認証装置１を構成する。
2015145588.tif 000002
【特許請求の範囲】
【請求項１】
入力される画像からそれぞれ互いに異なる方向に対応する指向的特徴を抽出し、それら指向的特徴により主要な線の依存度を示す主要線特徴を生成する主要線特徴生成部と、
前記主要線特徴と前記記憶部に記憶されている登録主要線特徴との第１の類似度を求める主要線特徴照合処理部と、
前記第１の類似度を用いて、本人であるか否かの判定を行う判定部と、
を備える生体認証装置。
【請求項２】
請求項１に記載される生体認証装置であって、
前記画像からそれぞれ互いに異なる方向に対応する指向的特徴を抽出し、それら指向的特徴により無指向的特徴を生成する無指向的特徴生成処理部と、
前記無指向的特徴と記憶部に記憶されている登録無指向的特徴との第２の類似度を求める無指向的特徴照合処理部と、
を備え、
前記判定部は、前記第１の類似度が大きくなる程、前記第１の類似度に対応する重み付けを小さくするとともに、前記第１及び第２の類似度を用いて、本人であるか否かの判定を行う、
ことを特徴とする生体認証装置。
【請求項３】
コンピュータが、
入力される画像からそれぞれ互いに異なる方向に対応する指向的特徴を抽出し、それら指向的特徴により主要な線の依存度を示す主要線特徴を生成し、
前記主要線特徴と前記記憶部に記憶されている登録主要線特徴との第１の類似度を求め、
前記第１の類似度を用いて、本人であるか否かの判定を行う、
ことを特徴とする生体認証方法。
【請求項４】
請求項３に記載の生体認証方法であって、
前記コンピュータが、
前記画像からそれぞれ互いに異なる方向に対応する指向的特徴を抽出し、それら指向的特徴により無指向的特徴を生成し、
前記無指向的特徴と記憶部に記憶されている登録無指向的特徴との第２の類似度を求め、
前記第１の類似度が大きくなる程、前記第１の類似度に対応する重み付けを小さくするとともに、前記第１及び第２の類似度を用いて、本人であるか否かの判定を行う、
ことを特徴とする生体認証方法。
【請求項５】
コンピュータに、
入力される画像からそれぞれ互いに異なる方向に対応する指向的特徴を抽出し、それら指向的特徴により主要な線の依存度を示す主要線特徴を生成し、
前記主要線特徴と前記記憶部に記憶されている登録主要線特徴との第１の類似度を求め、
前記第１の類似度を用いて、本人であるか否かの判定を行う、
ことを実行させるためのプログラム。
【請求項６】
請求項５に記載のプログラムであって、
前記コンピュータに、
前記画像からそれぞれ互いに異なる方向に対応する指向的特徴を抽出し、それら指向的特徴により無指向的特徴を生成し、
前記無指向的特徴と記憶部に記憶されている登録無指向的特徴との第２の類似度を求め、
前記第１の類似度が大きくなる程、前記第１の類似度に対応する重み付けを小さくするとともに、前記第１及び第２の類似度を用いて、本人であるか否かの判定を行う、
ことを実行させるためのプログラム。
【発明の詳細な説明】
【技術分野】
【０００１】
本開示の実施形態では、生体認証の技術に関する。
【背景技術】
【０００２】
既存の生体認証装置では、撮影後の画像から抽出される生体情報と、予め登録されている生体情報とが互いに一致する場合、本人であると判定する。この生体情報には掌紋や静脈などを示す特徴が含まれており、静脈を示す特徴を用いて生体認証を行う場合は、撮影後の画像から掌紋を示す特徴を分離して、できるだけ静脈を示す特徴のみにする必要がある。掌紋を示す特徴を分離する方法として、例えば、偏光フィルタなどを利用して光学的に分離する方法が知られている。また、他の方法として、例えば、複数波長撮影による方法が知られている。
【先行技術文献】
【非特許文献】
【０００３】
【非特許文献１】A.Ross, A.K.Jain, and J.Reisman, “A Hybrid fingerprint matcher”, Pattern Recognition, vol.36, no.7, pp.1661-1673, 2003.
【発明の概要】
【発明が解決しようとする課題】
【０００４】
しかしながら、掌紋を示す特徴を物理的に分離する方法を適用できない場合では、掌紋を示す特徴が含まれたままの生体情報を用いて生体認証を行わなくてはならない。掌紋を示す特徴の多様性は、静脈を示す特徴の多様性に比べて乏しいため、生体情報に含まれる掌紋を示す特徴が多い程、他人受入率（FAR（False Acceptance Rate））を高めてしまう。また、メラニンが強く沈着した掌紋を示す特徴が含まれている場合、静脈を示す特徴に比べて掌紋を示す特徴が抽出され易くなるため、他人受入率をさらに高めてしまう。【０００５】
本開示の実施形態では、画像から掌紋を示す特徴を物理的に分離する方法を適用できない場合であっても、他人受入率が高くなることを抑えることが可能な生体認証装置、生体認証方法、及びプログラムを提供することを目的とする。
【課題を解決するための手段】
【０００６】
本開示の実施形態の生体認証装置は、入力される画像からそれぞれ互いに異なる方向に対応する指向的特徴を抽出し、それら指向的特徴により主要な線の依存度を示す主要線特徴を生成する主要線特徴生成部と、前記主要線特徴と前記記憶部に記憶されている登録主要線特徴との第１の類似度を求める主要線特徴照合処理部と、前記第１の類似度を用いて、本人であるか否かの判定を行う判定部とを備える。【０００７】
また、本開示の実施形態の生体認証方法は、コンピュータが、入力される画像からそれぞれ互いに異なる方向に対応する指向的特徴を抽出し、それら指向的特徴により、主要な線の依存度を示す主要線特徴を生成し、前記主要線特徴と前記記憶部に記憶されている登録主要線特徴との第１の類似度を求め、前記第１の類似度を用いて、本人であるか否かの判定を行う。【０００８】
また、本開示の実施形態のプログラムは、コンピュータに、入力される画像からそれぞれ互いに異なる方向に対応する指向的特徴を抽出し、それら指向的特徴により、主要な線の依存度を示す主要線特徴を生成し、前記主要線特徴と前記記憶部に記憶されている登録主要線特徴との第１の類似度を求め、前記第１の類似度を用いて、本人であるか否かの判定を行うことを実行させる。
【発明の効果】
【０００９】
本開示の実施形態によれば、画像から掌紋を示す特徴を物理的に分離する方法を適用できない場合であっても、他人受入率が高くなることを抑えることができる。
【図面の簡単な説明】
【００１０】
【図１】実施形態の生体認証装置の一例を示す図である。
【図２】実施形態の生体認証方法を示すフローチャートである。
【図３】実施形態の特徴抽出部の一例を示す図である。
【図４】実施形態の照合処理部の一例を示す図である。
【図５】生体認証装置のハードウェアの一例を示す図である。
【発明を実施するための形態】
【００１１】
図１は、本開示の実施形態の生体認証装置の一例を示す図である。
図１に示す生体認証装置１は、画像取得部２と、領域特定部３と、特徴抽出部４と、照合処理部５と、スコア判定部６（判定部）と、記憶部７とを備える。
【００１２】
特徴抽出部４は、無指向的特徴生成処理部８と、主要線特徴生成処理部９とを備える。
照合処理部５は、無指向的特徴照合処理部１０と、主要線特徴照合処理部１１とを備える。
【００１３】
図２は、本開示の実施形態の生体認証方法を示すフローチャートである。
まず、画像取得部２は、被験者の手の画像を取得する（Ｓ１）。例えば、画像取得部２は、撮像装置であって、単板の撮像素子とベイヤー配列のＲＧＢの各カラーフィルタにより被検者の手の撮像画像を取得する。
【００１４】
次に、領域特定部３は、画像取得部２で取得される画像において被検者の手のひらに相当する手のひら領域（ROI(Region Of Interest)）を特定する（Ｓ２）。
【００１５】
次に、無指向的特徴生成処理部８は、領域特定部３により特定される手のひら領域の画像ｆから無指向的特徴を生成する（Ｓ３）。なお、無指向的とは、ある画像ｆに対してフィルタ処理Ｓを行う場合において、フィルタ処理Ｓの前に様々な角度θに対する画像回転変換処理ＴθやＴθの逆変換処理Ｔθ−１を挿入した場合であっても、フィルタ処理Ｓ単体の結果とほとんど変わらないことと定義する。すなわち、記号であらわすと、無指向的とは、任意の角度θにおいて、Ｓ（ｆ）＝Ｔθ−１（Ｓ（Ｔθ（ｆ）））であると定義する。
【００１６】
次に、主要線特徴生成処理部９は、手のひら領域の画像ｆから主要線特徴（ＰＬＤＩ（Principal-Line Dependent Index））を生成する（Ｓ４）。なお、線特徴とは、線状からなる画像である。
【００１７】
次に、無指向的特徴照合処理部１０は、無指向的特徴生成処理部８により生成される無指向的特徴と、予め登録され記憶部７に記憶されている登録無指向的特徴との類似度を求める（Ｓ５）。
【００１８】
次に、主要線特徴照合処理部１１は、主要線特徴生成処理部９により生成される主要線特徴と、予め登録され記憶部７に記憶されている登録主要線特徴との類似度を求める（Ｓ６）。
【００１９】
次に、スコア判定部６は、無指向的特徴照合処理部１０により求められる類似度及び主要線特徴照合処理部１１により求められる類似度により、本人であるか否かの判定を行う（Ｓ７）。
【００２０】
図３は、本開示の実施形態の特徴抽出部４の一例を示す図である。
図３に示す特徴抽出部４は、フィルタ４１と、各点最大値選択（point-wise maximum）部４２と、２値化部４３と、細線化部４４と、主要線特徴抽出部４５とを備える。
【００２１】
フィルタ４１は、入力される手のひら領域の画像ｆに対して、８つの方向θ（0°、22.5°、45°、67.5°、90°、112.5°、135°、157.5°）毎にGaborフィルタ処理を行い、それぞれのフィルタ応答（輝度値）を指向的特徴ｇθ（指向的特徴ｇ0°、指向的特徴ｇ22.5°、指向的特徴ｇ45°、指向的特徴ｇ67.5°、指向的特徴ｇ90°、指向的特徴ｇ112.5°、指向的特徴ｇ135°、指向的特徴ｇ157.5°）として得る。なお、フィルタリング処理時に設定される方向θの数は２つ以上であれば、８つに限定されない。また、フィルタリング処理は、画像ｆ内の各方向θの線状の暗部に対して高いフィルタ応答をもつものであれば、Gaborフィルタ処理に限定されない。
【００２２】
各点最大値選択部４２は、式１に示すように、フィルタ４１から抽出される各指向的特徴ｇθ（i,j）のうち、最大の指向的特徴ｍａｘθ｛ｇθ（i,j）｝を無指向的特徴g(i,j)として出力する。なお、iは、手のひら領域内の各画素の位置を２次元座標上の位置に対応させたときのその２次元座標の横軸方向の位置を示し、jは、その２次元座標の縦軸方向の位置を示す。
【００２３】
【数１】
2015145588.tif 000003
【００２４】
２値化部４３は、式２に示すように、各点最大値選択部４２から出力される無指向的特徴g(i,j)が正の値であるとき、１を無指向的面特徴b(i,j)として出力し、無指向的特徴g(i,j)が正の値以外の値であるとき、０を無指向的面特徴b(i,j)として出力する。このとき得られた無指向的面特徴ｂは、記憶部７に記憶される。
【００２５】
【数２】
2015145588.tif 000004
【００２６】
なお、上記２値化部４３では、単純な定数０による閾値処理によって２値化処理を行っているが、より高度なAdaptive-thresholding法を用いて２値化処理を行ってもよい。
【００２７】
細線化部４４は、式３に示すように、無指向的面特徴bに対して、細線化処理（skeltonizing）を行うことにより、無指向的線特徴ＬＦを得る。なお、skelは、細線化処理を表す。また、このとき得られた無指向的線特徴ＬＦは、記憶部７に記憶される。
【００２８】
【数３】
2015145588.tif 000005
【００２９】
主要線特徴抽出部４５は、フィルタ４１から抽出される各指向的特徴ｇθにより、手のひら領域内の主要な線（主に掌紋に相当する線）の依存度を示す主要線特徴PLDIを生成する。例えば、主要線特徴抽出部４８は、フィルタ４１から出力される各指向的特徴ｇθ（i,j）のうち、最大の指向的特徴MAX（i,j）を選択する。また、主要線特徴抽出部４８は、フィルタ４１から出力される各指向的特徴ｇθ（i,j）のうち、最小の指向的特徴MIN（i,j）を選択する。また、主要線特徴抽出部４８は、フィルタ４１から出力される各指向的特徴ｇθ（i,j）の平均値AVE（i,j）を求める。そして、主要線特徴抽出部４８は、最大の指向的特徴MAX（i,j）と最小の指向的特徴MIN（i,j）との差を、平均値AVE（i,j）で除算した値を主要線特徴PLDI（i,j）とする。
【００３０】
なお、主要線特徴PLDI（i,j）の求め方は、上記の方法に限定されない。
【００３１】
図４は、本開示の実施形態の照合処理部５の一例を示す図である。
無指向的特徴照合処理部１０は、細線化部４４から出力され記憶部７に記憶されている無指向的線特徴ＬＦと、予め登録され記憶部７に記憶されている登録無指向的線特徴ＴＬＦとの類似度score1を求める。
【００３２】
主要線特徴照合処理部１１は、主要線特徴抽出部４５から出力され記憶部７に記憶されている主要線特徴PLDIと予め登録され記憶部７に記憶されている登録主要線特徴TPLDIとの類似度score2を求める。
【００３３】
スコア判定部６は、式４に示すように、類似度score1及び類似度score2に対して定数ａｋや定数ｃにより重み付けするとともに、重み付け後の類似度score1及び類似度score2の合計を類似度scoreとする。そして、スコア判定部６は、例えば、類似度scoreが閾値以上であるとき、本人であると判定する。
【００３４】
【数４】
2015145588.tif 000006
【００３５】
以下、あるｋについて、ａｋ＞０で、かつ、定数ａｋの絶対値が他の定数ａｋに比べて相対的に大きい程、類似度scorekを積極的利用するといい（類似性を積極的に肯定する作用）、そうでないとき、類似度scorekを消極的利用するという。
【００３６】
また、スコア判定部６は、類似度score2が大きくなる程、その類似度score2に対応する重み付けを小さくすることにより、その類似度score2を消極的利用する。
【００３７】
このように、類似度score2を消極的利用することで、掌紋の影響を抑えて本人であるか否かの判定を行うことができるため、認証精度を向上させることができる。すなわち、本開示の実施形態の生体認証装置１によれば、画像から掌紋を示す特徴を物理的に分離する方法を適用できない場合であっても、他人受入率が高くなることを抑えることができる。また、特に被験者の手のひらにおいてメラニンが強く沈着し、無指向的線特徴ＬＦに掌紋が多く含まれる場合でも、無指向的線特徴ＬＦにおける掌紋の影響を抑えて本人であるか否かの判定を行うことができるため、他人受入率を低減することができる。
【００３８】
なお、上記実施形態では、類似度score1及び類似度score2を求め、それら類似度score1及び類似度score2を用いて本人であるか否かの判定を行う構成であるが、類似度score2のみを求め、その類似度score2のみを用いて本人であるか否かの判定を行うように構成してもよい。これにより、類似度score2のみを用いて、すなわち、掌紋を示す特徴のみを用いて、本人であるか否かの判定を行うことができるため、画像から掌紋を示す特徴を物理的に分離する方法を適用できない場合であっても、他人受入率が高くなることを抑えることができる。
【００３９】
また、類似度score1及び類似度score2を求め、主要線特徴PLDIが高いとき（例えば、主要線特徴PLDIが閾値以上のとき）、類似度score2のみを用いて本人であるか否かの判定を行い、主要線特徴PLDIが低いとき（例えば、主要線特徴PLDIが閾値よりも小さいとき）、類似度score1及び類似度score2を用いて本人であるか否かの判定を行うように構成してもよい。これにより、複数の認証方法（モーダル）を切り替えて相補的に認証するマルチモーダル認証を行うことができる。
【００４０】
図５は、本開示の実施形態の生体認証装置１を構成するハードウェアの一例を示す図である。
【００４１】
図５に示すように、生体認証装置１を構成するハードウェアは、制御部１２０１と、記憶部１２０２と、記録媒体読取装置１２０３と、入出力インタフェース１２０４と、通信インタフェース１２０５とを備え、それらがバス１２０６によってそれぞれ接続されている。なお、画像処理装置１を構成するハードウェアは、クラウドなどを用いて実現してもよい。
【００４２】
制御部１２０１は、例えば、Central Processing Unit（ＣＰＵ）、マルチコアＣＰＵ、プログラマブルなデバイス（Field Programmable Gate Array（ＦＰＧＡ）、Programmable Logic Device（ＰＬＤ）など）を用いることが考えられ、図１に示す領域特定部３、特徴抽出部４、照合処理部５、及びスコア判定部６に相当する。
【００４３】
記憶部１２０２は、図１に示す記憶部７に相当し、例えばRead Only Memory（ＲＯＭ）、Random Access Memory（ＲＡＭ）などのメモリやハードディスクなどが考えられる。なお、記憶部１２０２は、実行時のワークエリアとして用いてもよい。また、生体認証装置１の外部に他の記憶部を設けてもよい。
【００４４】
記録媒体読取装置１２０３は、制御部１２０１の制御により、記録媒体１２０７に記録されるデータを読み出したり、記録媒体１２０７にデータを書き込んだりする。また、着脱可能な記録媒体１２０７は、コンピュータで読み取り可能なnon-transitory（非一時的）な記録媒体であって、例えば、磁気記録装置、光ディスク、光磁気記録媒体、半導体メモリなどが考えられる。磁気記録装置は、例えば、ハードディスク装置（ＨＤＤ）などが考えられる。光ディスクは、例えば、Digital Versatile Disc（ＤＶＤ）、ＤＶＤ−ＲＡＭ、Compact Disc Read Only Memory（ＣＤ−ＲＯＭ）、ＣＤ−Ｒ(Recordable)／ＲＷ（ReWritable）などが考えられる。光磁気記録媒体は、例えば、Magneto-Optical disk（ＭＯ）などが考えられる。なお、記憶部１２０２もnon-transitory（非一時的）な記録媒体に含まれる。
【００４５】
入出力インタフェース１２０４は、入出力部１２０８が接続され、ユーザにより入出力部１２０８から入力された情報をバス１２０６を介して制御部１２０１に送る。また、入出力インタフェース１２０４は、制御部１２０１から送られてくる情報をバス１２０６を介して入出力部１２０８に送る。
【００４６】
入出力部１２０８は、図１に示す画像取得部２に相当し、例えば、撮像装置などが考えられる。また、入出力部１２０８は、例えば、キーボード、ポインティングデバイス（マウスなど）、タッチパネル、Cathode Ray Tube（ＣＲＴ）ディスプレイ、プリンタなどが考えられる。
【００４７】
通信インタフェース１２０５は、Local Area Network（ＬＡＮ）接続やインターネット接続を行うためのインタフェースである。また、通信インタフェース１２０５は必要に応じ、他のコンピュータとの間のＬＡＮ接続やインターネット接続や無線接続を行うためのインタフェースとして用いてもよい。
【００４８】
このようなハードウェアを有するコンピュータを用いることによって、生体認証装置１が行う各種処理機能が実現される。この場合、生体認証装置１が行う各種処理機能の内容を記述したプログラムをコンピュータで実行することにより、上記各処理機能（例えば、領域特定部３、特徴抽出部４、照合処理部５、スコア判定部６）がコンピュータ上で実現される。各種処理機能の内容を記述したプログラムは、記憶部１２０２や記録媒体１２０７に格納しておくことができる。
【００４９】
プログラムを流通させる場合には、例えば、そのプログラムが記録されたＤＶＤ、ＣＤ−ＲＯＭなどの記録媒体１２０７が販売される。また、プログラムをサーバコンピュータの記憶装置に記録しておき、ネットワークを介して、サーバコンピュータから他のコンピュータにそのプログラムを転送することもできる。
【００５０】
プログラムを実行するコンピュータは、例えば、記録媒体１２０７に記録されたプログラム、又は、サーバコンピュータから転送されたプログラムを、記憶部１２０２に記憶する。そして、コンピュータは、記憶部１２０２からプログラムを読み取り、プログラムに従った処理を実行する。なお、コンピュータは、記録媒体１２０７から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００５１】
なお、本開示の実施形態では、手のひらの静脈を用いて認証を行う画像処理装置を例示して説明したが、これに限らず、生体のその他の特徴検出部位であればどこでもよい。
【００５２】
たとえば、生体のその他の特徴検出部位は、静脈に限らず、生体の血管像や、生体の紋様、生体の指紋や掌紋、足の裏、手足の指、手足の甲、手首、腕などであってもよい。
なお、認証に静脈を用いる場合、生体のその他の特徴検出部位は、静脈を観察可能な部位であればよい。
【００５３】
なお、生体情報を特定可能な生体のその他の特徴検出部位であれば認証に有利である。たとえば、手のひらや顔などであれば、取得した画像から部位を特定可能である。また、上述の実施の形態は、実施の形態の要旨を逸脱しない範囲内において種々の変更を加えることができる。さらに、上述の実施の形態は、多数の変形、変更が当業者にとって可能であり、説明した正確な構成および応用例に限定されるものではない。
【符号の説明】
【００５４】
１  生体認証装置
２  画像取得部
３  領域特定部
４  特徴抽出部
５  照合処理部
６  スコア判定部
７  記憶部
８  無指向的特徴生成処理部
９  主要線特徴生成処理部
１０  無指向的特徴照合処理部
１１  主要線特徴照合処理部
４１  フィルタ
４２  各点最大値選択部
４３  ２値化部
４４  細線化部
４５  主要線特徴抽出部
【図１】
2015145588.tif 000007
【図２】
2015145588.tif 000008
【図３】
2015145588.tif 000009
【図４】
2015145588.tif 000010
【図５】
2015145588.tif 000011
【国際調査報告】
2015145588.tif 000012
2015145588.tif 000013
2015145588.tif 000014
2015145588.tif 000015